(57)【要約】【課題】  収納状態にある一番竿等の無用な回転を阻止しながら、尻栓に形成されている水抜き孔と受止座体に形成した水抜き孔との周方向位相のズレルを抑制する尻栓構造を有する振出竿を提供する。【解決手段】  元竿３に尻栓４を取り付けるとともに、尻栓４より竿先側に元竿３内に収納された一番竿１等の竿尻端を受け止める座ゴム５を設けてある。座ゴム５と尻栓４とに係合孔４ｂとその係合孔４ｂに係合する突起部５ａとを形成して、座ゴム５が周方向への回転を阻止する機構を形成してある。【選択図】        図２
2006204199.tif 000002
【特許請求の範囲】
【請求項１】
竿先側竿体を出退自在に備えた竿尻側竿体の竿尻端に尻栓を取り付けるとともに、前記竿尻側竿体内で前記尻栓より竿先側に前記竿先側竿体の竿尻端を受け止める軟質材製の受止座体を設けてある振出竿であって、
前記受止座体と前記尻栓とに、係合部とその係合部に係合する突起部とを形成して、前記受止座体が周方向への回転を阻止する機構を形成してある振出竿。
【請求項２】
前記受止座体に突起部を形成し、前記突起部が前記尻栓の係合部を貫通して尻栓の竿尻側表面に表出している請求項1記載の振出竿。
【請求項３】
尻栓を備えた竿尻側竿体に対して竿先側竿体を出退自在で、かつ、前記竿先側竿体を竿尻側竿体内に収縮させた状態においても保持する保持体を前記竿尻側竿体内に装着するとともに、前記竿尻側竿体内で前記尻栓より竿先側に前記竿尻側竿体内に収納された前記一番竿及び中竿の竿尻端を受け止める軟質材製の受止座体を設けてある伸縮式の振出竿であって、前記保持体と前記尻栓との間に前記受止座体を配置するとともに、前記受止座体と前記尻栓とに係合部とその係合部に係合する突起部とを形成して、前記受止座体が周方向への回転を阻止する機構を形成してある伸縮式の振出竿。
【請求項４】
前記保持体と前記受止座体とを軟質材で一体形成してある請求項３記載の伸縮式の振出竿。
【発明の詳細な説明】
【技術分野】
【０００１】
本発明は、竿先側竿体を出退自在に備えた竿尻側竿体の竿尻端に尻栓を取り付けるとともに、前記竿尻側竿体内で前記尻栓より竿先側に前記竿先側竿体の竿尻端を受け止める軟質材製の受止座体を設けてある振出竿に関する。
【背景技術】
【０００２】
この種振出竿においては、一番竿、中竿等の竿先側竿体を竿尻側竿体である元竿から引き出した伸長状態でその状態を保持して釣り操作に使用されるとともに、それら一番竿や中竿を元竿内に収納した状態では、それらをその状態に保持することはなく、収納した状態で竿ケース等に振出竿を収めて、釣り場を移動する。
このように、一番竿等を元竿内に収納した状態では、それら一番竿の竿尻端が直接尻栓に当接しないように、受止座体で受け止める構成を採っている。この受止座体は尻栓に接触する状態に配置されており、竿の軸線方向に移動することを阻止されており、周方向への回転も規制されていた（特許文献１、２参照）。
【０００３】
【特許文献１】実用新案登録第２５２０４２３号（段落番号〔００１２〕、図１）
【特許文献２】特開平１０−７５６８９号公報（図１）
【発明の開示】
【発明が解決しようとする課題】
【０００４】
前記した受止座体は、尻栓等との接触によって周方向への回転も規制されているが、ゴム等の軟質材で形成されているために、長年の使用により尻栓との接触部位に磨耗やヘタリ等が生じた場合には、周方向への回転が起こる場合もある。
一番竿や中竿を受け止めている受止座体が周方向へ回転しやすくなると、この回転する受止座体とこの受止座体に支持された竿体との間に無用な摩擦が生じ易くなるとともに、細い径の一番竿等が受止座体に連れて回転すると他の竿との間にも無用の摩擦が生じ易く、受止座体の損耗や竿体の損傷を招来し、外付けのガイドが取り付けられている場合には、ガイド同士の周方向での位相が変動して、収納状態から引き出す場合に、再度、位相合わせを要する等の作業を必要とすることになる。
また、その受止座体が回転することによって、尻栓に形成されている水抜き孔と受止座体に形成した水抜き孔との周方向位相がズレルことがあり、水抜き孔として機能し難い状態となることもある。
【０００５】
本発明の目的は、収納状態にある一番竿等の無用な回転を阻止しながら、尻栓に形成されている水抜き孔と受止座体に形成した水抜き孔との周方向位相のズレを抑制する尻栓構造を有する振出竿を提供する点にある。
【課題を解決するための手段】
【０００６】
〔構成〕
請求項１に係る発明の特徴構成は、前記受止座体と前記尻栓とに、係合部とその係合部に係合する突起部とを形成して、前記受止座体が周方向への回転を阻止する機構を形成してある点にあり、その作用効果は次の通りである。
【０００７】
〔作用〕
竿尻側竿体に取り付けられた尻栓に受止座体を一体回転しない状態に係合できるので、受止座体の周方向への回転が阻止できる。これによって、受止座体に竿尻端を受止られている一番竿等の回転が阻止されるとともに、尻栓と受止座体との周方向での位相ズレが抑制できる。
【０００８】
〔効果〕
したがって、一番竿等の竿先側竿体と竿尻側竿体との外付けガイド位相が周方向で位置ヅレを起こすこともなく、尻栓と受止座体の水抜き孔との周方向での位相がズレることもなく、水抜き孔としての機能が確保される。
【０００９】
請求項２に係る発明の特徴構成は、請求項１に係る発明において、前記受止座体に突起部を形成し、前記突起部が前記尻栓の係合部を貫通して尻栓の竿尻側表面に表出している点にあり、その作用効果は次の通りである。
【００１０】
〔作用効果〕
つまり、受止座体に形成した突起部がその受止座体に対して回り止め機能を発揮するとともに、それだけではなく、その突起部が尻栓の竿尻側表面に表出しているので、尻栓が他物と接触あるいは衝突する状況にあっても、竿尻側表面より突出する突起部が尻栓に先行して接触するので、尻栓への影響が緩和できる。
【００１１】
請求項３に係る発明の特徴構成は、尻栓を備えた竿尻側竿体に対して竿先側竿体を出退自在で、かつ、前記竿先側竿体を竿尻側竿体内に収縮させた状態においても保持する保持体を前記竿尻側竿体内に装着するとともに、前記竿尻側竿体内で前記尻栓より竿先側に前記竿尻側竿体内に収納された前記一番竿及び中竿の竿尻端を受け止める軟質材製の受止座体を設けてある伸縮式の振出竿であって、前記保持体と前記尻栓との間に前記受止座体を配置するとともに、前記受止座体と前記尻栓とに係合部とその係合部に係合する突起部とを形成して、前記受止座体が周方向への回転を阻止する機構を形成してある点にあり、その作用効果は次の通りである。
【００１２】
〔作用効果〕
受止座体を尻栓に係合させて周方向への回転を阻止することによって、その受止座体と接触する保持体の周方向での回転を阻止する機能を受止座体が発揮でき、保持体によって保持される竿先側竿体の収納状態での周方向の回転を阻止する機能を補助できる。
このような構成によって、保持体自体に対する回り止め機能を施す際に受止座体での回り止め機能をも補助的に利用することができる。
したがって、竿先側竿体を収納状態に保持体で保持した状態で竿先側竿体の周方向での回転を阻止できるので、竿先側竿体を収納状態と伸長状態に切り換えた場合に外付けガイド位置等の周方向位相が変化することは少なく、竿先側竿体を収納して釣り竿全体の長さを短くして使用することが可能なこの種の伸縮式竿において、使い易い釣り竿を提供できるに至った。
【００１３】
請求項４に係る発明の特徴構成は、前記保持体と前記受止座体とを軟質材で一体形成してある点にあり、その作用効果は次の通りである。
【００１４】
〔作用効果〕
受止座体と保持体との接触状態の密着性が軟質材ゆえに高まり、より保持体の周方向での回転を阻止する機能を高めることができる。
【発明を実施するための最良の形態】
【００１５】
〔第１実施形態〕
振出竿Ａについて説明する。
振出竿Ａは、図１に示すように、トップガイド１Ａ，及び、移動ガイド１Ｂを備える一番竿１、固定ガイド２Ａ及び移動ガイド２Ｂを備えた二番竿２等の中竿、固定ガイド３Ａと釣り用リールＣを装着するリールシート３Ｂとを備えた元竿３を備えて、構成されている。一番竿１、中竿を竿先側竿体、元竿３を竿尻側竿体と称する。
【００１６】
一番竿１、中竿、元竿３等の竿体は、炭素繊維等の強化繊維を引き揃え、その引き揃えた強化繊維群に、エポキシ等の熱硬化性樹脂を含浸させて形成したプリプレグを所定の形状に裁断し、その裁断したメインパターンをマンドレルに巻回し、巻回したものを焼成して、所定の寸法に切断して、形成される。
【００１７】
図２に示すように、元竿３の竿尻端には尻栓４を装着してあり、尻栓４の内部空間内に受止座体としての座ゴム５を収納してある。
尻栓４は、アルミ等の金属材料で円筒状に形成されており、内部に座ゴム５の収納空間を備えている。円筒状部分の周壁内面にはネジ部４Ａが刻設されており、元竿３の竿尻端に形成してある尻リング部分３Ｃにネジ込み固定可能に構成してある。図２及び図３に示すように、尻栓４における周壁部分を延出している本体部分４Ｂには中心位置に水抜き孔４ａを形成してあり、その水抜き孔４ａの周縁に４個の係合部としての係合孔４ｂを形成してある。
【００１８】
図２及び図３に示すように、座ゴム５はＮＢＲを材料として形成されており、板状に形成された基端部５Ａの中心位置に水抜き孔５Ｂを有し、水抜き孔５Ｂの周縁部分に４個の円柱状の突起部５ａを形成してある。
このような座ゴム５を尻栓４の内部空間内に収納し、４個の円柱状突起部５ａを係合孔４ｂ内に差込み係合させる。この差込み係合させた状態では、円柱状突起部５ａの先端は尻栓４の竿尻端面から僅かに外方に臨む状態に設定してあり、先端部は、尻栓４の竿尻端面の湾曲面に沿った状態に湾曲状に形成してある。
【００１９】
〔第２実施形態〕
ここでは、伸縮式竿Ｂに利用される尻栓６の構造について説明する。図４に示すように、伸縮式竿Ｂは、元竿７に対して元上８が出退自在であり、かつ、収縮状態であっても元上８がその収縮状態に保持される構成となっており、釣り場の状況等によって竿の全長を切り換えて使用できる構成となっている。つまり、元上８の竿尻端部には大径膨出部８Ａが設けてあるとともに、元竿７の大径部７Ａ内には前記した大径膨出部８Ａを内嵌合して元上８を収縮状態に保持する保持体としてゴム製の保持筒体９を設けてある。ここにおいて、元上８を竿先側竿体、元竿７を竿尻側竿体と称する。
【００２０】
図４に示すように、保持筒体９は、外筒部分９Ａ及び内筒部分９Ｂともに湾曲状に中膨れ形状を呈しており、外筒部分９Ａは元竿７の大径部７Ａに圧接するように、かつ、内筒部分９Ｂは元上８の大径膨出部８Ａに圧接するように構成してある。つまり、保持筒体９の竿尻側に座ゴム１０を配置するとともに、さらに、竿尻側に尻栓６を配置してあり、尻栓６を締め込むことによって、座ゴム１０を介して保持筒体９が軸線方向に圧縮され、その圧縮されたことによって、保持筒体９の外筒部分９Ａが外向きに広がると同時に内筒部分９Ｂが内向きに張出し、夫々が、外筒部分９Ａが元竿７の大径部７Ａに圧接し、内筒部分９Ｂが元上８の大径膨出部８Ａに圧接する。
【００２１】
このような伸縮式竿Ｂにおいて、座ゴム１０は板状に形成された基端部１０Ａの中心位置に水抜き孔１０Ｂを有し、水抜き孔１０Ｂの周縁部分に４個の円柱状の突起部１０ａを形成してある。円柱状突起部１０ａは尻栓６に形成した係合孔６Ａに係合して周方向への回転を阻止する構成となっている。基端部１０Ａの周縁フランジ部１０ｂは、保持筒体９と尻栓６とに挾まれて、尻栓６への締め込み力を保持筒体９に伝達する構成を採っている。
【００２２】
〔別実施形態〕
（１）  上記した構成においては、受止座体５，１０としての周方向での回転を止めるのに、受止座体５，１０から突起部５ａ、１０ａを突出させて尻栓４，６に係合させることによって行っている。これに対して、図示はしていなが、尻栓４，６から突起部を延出し、受止座体５，１０に形成した係合孔にその突起部を係合させる構成を採ってもよい。
（２）  受止座体５，１０としては、ゴムを材料として構成したが、軟質性のものであれば、合成樹脂で形成してもよい。
（３）  尻栓４，６としては、受止座体５，１０の突起部５ａ，１０ａを係合するのに、貫通しない係合穴を形成してもよい。
（４）  受止座体１０と保持体９とを軟質材で一体形成してもよい。
【図面の簡単な説明】
【００２３】
【図１】振出竿の全体側面図
【図２】尻栓と受止座体とを元竿に装着した状態を示す縦断側面図
【図３】尻栓と受止座体とを示す分解斜視図
【図４】伸縮式振出竿に受止座体を設けた状態を示し、（イ）は、元上を保持体に挿入する前の状態を示す縦断側面図、（ロ）は、元上を保持体に挿入した状態を示す縦断側面図
【符号の説明】
【００２４】
１，２，７、８      竿先側竿体
３                  竿尻側竿体
４、６              尻栓
５，１０            受止座体
９                  保持体
４ｂ，６ａ          係合部
５ａ，１０ａ        突起部
【図１】
2006204199.tif 000003
【図２】
2006204199.tif 000004
【図３】
2006204199.tif 000005
【図４】
2006204199.tif 000006